(57)【特許請求の範囲】
【請求項１】
床部と、該床部の裏面に設けられるとともに開口部を有するカップ状の脚受部と、前記開口部から挿入され、取り外し可能に前記脚受部に嵌合される脚部とを備えた組立式ベッドであって、
前記脚受部は、前記開口部の周縁に沿って内側から外側に向かって形成されるとともに前記脚部の取り外しの際には前記脚部を圧接する力を弱めるカール状の開口縁部と、前記開口部側に向かって前記脚受部の内径が大きくなるように形成された傾斜面を有する側壁部とを有し、
前記脚部は、前記開口部に挿入される側に形成されたテーパ状部を有することを特徴とする組立式ベッド。
【請求項２】
前記脚部は、底側に固定されるとともに雌ねじ部が形成された脚部カバー取付部と、
該脚部カバー取付部の雌ねじ部と螺合する雄ねじ部が形成され、螺合する深さを調整することにより前記脚部の高さを調整可能な脚部カバーとを有することを特徴とする請求項１に記載の組立式ベッド。
【請求項３】
前記脚受部は鉄製であり、前記脚部はステンレス鋼製であることを特徴とする請求項１または２に記載の組立式ベッド。
【発明の詳細な説明】
【技術分野】
【０００１】
本発明は、脚部が取り外し可能な組立式ベッドに関する。
【背景技術】
【０００２】
組立式ベッドにおいて、床部の裏面に複数の脚部を取り外し可能に固定する組立工程を有するものがある。
従来、このような組立式ベッドでは、例えば、床部の裏面に設けられた脚受部の雌ねじ部に、雄ねじ部が形成された脚部の先端をねじ込むことにより脚部の脚受部への固定が行われたり、または、ボルト及びナットを用いることにより脚部の脚受部への固定が行われることが多かった（例えば、特許文献１参照）。
また、組立式ベッドにおいて、使用を一時的に中断して保管する場合や、引越し，建物内のレイアウト変更を行う場合等には、脚部を脚受部から外す必要が生じる場合がある。この場合には、従来の組立式ベッドでは、脚受部の雌ねじ部と脚部の雄ねじ部との螺合やボルトとナットの螺合を解除する作業が必要であった。
【先行技術文献】
【特許文献】
【０００３】
【特許文献１】実用新案登録第３０４２７５９号公報
【発明の概要】
【発明が解決しようとする課題】
【０００４】
しかしながら、上述した従来の組立式ベッドでは、組立時に脚部を固定するのに、脚受部の雌ねじ部と脚部の雄ねじ部とを螺合させる作業やボルトとナットの螺合作業を必要とするので、組立作業が煩雑になってしまうという問題があった。
【０００５】
また、上述した従来の組立式ベッドでは、使用を一時中断して保管する場合、引越し等の場合には、脚部を脚受部から外すために、脚受部の雌ねじ部と脚部の雄ねじ部との螺合やボルトとナットの螺合を解除する作業が必要となるので、取り外し作業が煩雑になってしまうという問題があった。また、この取り外し作業において、経時変化等が原因で脚受部の雌ねじ部と脚部の雄ねじ部、ボルトとナットの螺合が解除されにくくなってしまうという問題があった。
【０００６】
本発明は、上記実情に鑑みてなされたもので、脚部の固定作業及び取り外し作業を容易に行うことができる組立式ベッドを提供することを目的とする。
【課題を解決するための手段】
【０００７】
上記目的を達成するため、本発明の組立式ベッドは、
床部と、該床部の裏面に設けられるとともに開口部を有するカップ状の脚受部と、前記開口部から挿入され、取り外し可能に前記脚受部に嵌合される脚部とを備えた組立式ベッドであって、
前記脚受部は、前記開口部の周縁に沿って内側から外側に向かって形成されるとともに前記脚部の取り外しの際には前記脚部を圧接する力を弱めるカール状の開口縁部と、前記開口部側に向かって前記脚受部の内径が大きくなるように形成された傾斜面を有する側壁部とを有し、
前記脚部は、前記開口部に挿入される側に形成されたテーパ状部を有することを特徴とする。
【０００８】
また、前記脚部は、底側に固定されるとともに雌ねじ部が形成された脚部カバー取付部と、
該脚部カバー取付部の雌ねじ部と螺合する雄ねじ部が形成され、螺合する深さを調整することにより前記脚部の高さを調整可能な脚部カバーとを有するようにしてもよい。
【０００９】
また、前記脚受部は鉄製であり、前記脚部はステンレス鋼製であるようにしてもよい。
【発明の効果】
【００１０】
本発明によれば、脚部の固定作業及び取り外し作業を容易に行うことができる組立式ベッドを提供することができる。
【図面の簡単な説明】
【００１１】
【図１】本発明の実施形態に係る組立式ベッドの構成を表わす斜視図である。
【図２】本発明の実施形態に係る組立式ベッドが備えた支持フレーム及び脚部の組立状態を表わす斜視図である。
【図３】本発明の実施形態に係る組立式ベッドが備えた支持フレームの全体構成を表わす斜視図である。
【図４】本発明の実施形態に係る組立式ベッドが備えた脚部の構成を表わす斜視図である。
【図５】本発明の実施形態に係る組立式ベッドが備えた脚部本体の構成を表わす断面図である。
【図６】本発明の実施形態に係る組立式ベッドが備えた脚部カバーを脚部カバー台を介して脚部本体に固定することを説明するための拡大斜視図である。
【図７】本発明の実施形態に係る組立式ベッドが備えた脚受部及び脚受部支持板の構成を表わす斜視図である。
【図８】本発明の実施形態に係る組立式ベッドが備えた脚受部の構成を表わす断面図である。
【図９】本発明の実施形態に係る組立式ベッドが備えた脚部が脚受部に固定された状態を表わす部分断面図である。
【発明を実施するための形態】
【００１２】
本発明の実施の形態に係る組立式ベッドについて、以下図面を参照して説明する。
本実施の形態に係る組立式ベッドは、組立時において脚部を脚受部に固定する作業や分解時において脚部を脚受部から取り外す作業を容易にすることができるベッドである。
【００１３】
組立式ベッド１は、図１に示すように、床部１１と、床部１１を支持する支持フレーム１２と、４本の脚部１３とを備えている。
【００１４】
床部１１には、ベッド１の使用者が横臥可能である。床部１１には、例えばクッション材がカバーで被覆されたマット等が用いられる。床部１１の裏面には、支持フレーム１２を固定するための凹部が形成されている。
【００１５】
支持フレーム１２は、４本の脚部１３とともに床部１１を支持する。支持フレーム１２は、図２及び図３に示すように、矩形状のフレーム本体１２ａと、フレーム本体１２ａに架設された２枚の補強板１２ｂと、フレーム本体１２ａの四隅に設けられた４枚の脚受部支持板１２ｃと、脚受部支持板１２ｃに立設された４つの脚受部１２ｄとを備えている。
【００１６】
脚受部１２ｄは、脚部１３がそれぞれ挿入されて、取り外し可能に固定されるものである。
脚受部１２ｄは、図７及び図８に示すように、カップ状の脚受部本体１２１ｄと、開口縁部１２２ｄとを備えている。脚受部１２ｄは例えば鉄製である。
【００１７】
カップ状の脚受部本体１２１ｄは、側壁部１２３ｄを有している。側壁部１２３ｄは、傾斜面を有しており、その内壁面１２６ｄは、図８に示すように、平滑面に形成されている。側壁部１２３ｄの傾斜面は、脚受部本体１２１ｄの内径が底部１２４ｄから開口部１２５ｄ側に向かって大きくなるように傾斜している。
【００１８】
開口縁部１２２ｄは、開口部１２５ｄの縁部として、内側から外側に向かって曲面状に形成されている。開口縁部１２２ｄは、開口部１２５ｄの周縁上に沿って、内側から外側に向かってカール状に巻き込むような形状で形成されている。開口縁部１２２ｄの断面は、図８に示すように、ほぼ円状である。開口縁部１２２ｄの端と側壁部１２３ｄの外壁面との間には隙間がある。
【００１９】
４本の脚部１３は、図４に示すように、脚部本体１３ａと、脚部カバー１３ｂと、脚部カバー１３ｂを脚部本体１３ａに取り付けるための脚部カバー取付部としての脚部カバー台１３ｃとをそれぞれ備えている。
脚部本体１３ａは、図５に示すように、例えば中空の円筒状の部材からなり、例えばステンレス鋼を材料として形成される。脚部本体１３ａは、脚受部１２ｄに挿入される側である一端側にテーパ状に形成されたテーパ状部１３１ａを有する。
テーパ状部１３１ａは、脚受部１２ｄに挿入され固定される。テーパ状部１３１ａは、その表面が平滑面として形成されている。テーパ状部１３１ａの最小径である先端１３３ａの外径は、脚受部１２ｄの開口部１２５ｄの内径よりもやや小さく形成され、脚受部１２ｄの底部１２４ｄの内径よりもやや大きく形成されている。
【００２０】
脚部カバー１３ｂは、脚部１３の底側に配置され、脚部１３の高さを調整可能にするとともに脚部１３を保護する。脚部カバー１３ｂは、図６に示すように、円盤状の脚部カバー本体１３１ｂと、カバー本体１３１ｂに形成された雄ねじ部１３２ｂとを有する。
脚部カバー台１３ｃは、図６に示すように、円筒状のカバー台本体１３１ｃと、カバー台本体１３１ｃの一端に形成されたフランジ部１３２ｃと、カバー台本体１３１ｃの外壁に形成された複数の突設部１３３ｃと、カバー台本体１３１ｃの内側に複数の接続部１３４ｃを介して配置された円筒状部１３５ｃと、円筒状部１３５ｃの内壁に形成された雌ねじ部１３６ｃとを有する。
脚部カバー台１３ｃのカバー台本体１３１ｃは、脚部本体１３ａの底側の端から挿入され、突設部１３３ｃが脚部本体１３ａの内壁と当接し、フランジ部１３２ｃが脚部本体１３ａの端面と当接した状態で、脚部カバー台１３ｃは脚部本体１３ａに嵌合され固定される。
脚部本体１３ａに固定された脚部カバー台１３ｃの雌ねじ部１３６ｃに、脚部カバー１３ｂの雄ねじ部１３２ｂを螺合させることにより、脚部カバー台１３ｃを介して脚部カバー１３ｂは脚部本体１３ａの底側に取り付けられ、固定される。
この際、脚部カバー１３ｂの雄ねじ部１３２ｂと脚部カバー台１３ｃの雌ねじ部１３６ｃが螺合する深さを調整することにより、脚部１３の高さを調整することができる。
【００２１】
次に、脚部１３を脚受部１２ｄに固定する方法について説明する。
脚部１３のテーパ状部１３１ａを脚受部１２ｄの開口部１２５ｄに挿入する。脚部１３のテーパ状部１３１ａは、図９に示すように、脚受部１２ｄの側壁部１２３ｄの傾斜した内壁面１２６ｄに圧接された状態となり、脚部１３が脚受部１２ｄに嵌合して固定される。
４つの脚受部１２ｄに脚部１３をそれぞれ嵌合させた後、ベッド１を使用時の態勢に整える。そして、床部１１に上から均一に負荷を加えるとともに、脚部カバー１３ｂの雄ねじ部１３２ｂと脚部カバー台１３ｃの雌ねじ部１３６ｃが螺合する深さを調整して脚部１３の高さを調整することにより、ベッド１を安定した状態で設置することができる。
【００２２】
また、脚部１３を脚受部１２ｄから取り外すには、作業者が脚部１３に脚受部１２ｄから引き抜く力を加えるだけでよい。脚部１３に脚受部１２ｄから引き抜く力を加える際に、内側から外側に向かってカール状に形成された開口縁部１２２ｄは、脚受部１２ｄが脚部１３を圧接する力を弱めるなどの役割を果たす。
【００２３】
このように本実施の形態の組立式ベッドでは、組立時に作業者が脚部１３のテーパ状部１３１ａを脚受部１２ｄの開口部１２５ｄに挿入して嵌合すれば、脚部１３を脚受部１２ｄに固定できるようにしたので、組立作業が容易になり、煩雑な作業が不要になる。
【００２４】
これとともに、本実施の形態の組立式ベッドでは、取り外し作業時には、作業者が脚部１３を脚受部１２ｄから引き抜く際に、脚受部１２ｄに内側から外側に向かってカール状に形成された開口縁部１２２ｄにより圧接する力が弱められるようにしたので、取り外し作業も容易になり、煩雑な作業が不要になる。
また、脚受部１２ｄ及び脚部１３について様々な材料で製造を試みたところ、脚受部１２ｄを鉄製にし、脚部１３をステンレス鋼製にすると、組立作業及び取り外し作業がより容易になることがわかった。
【００２５】
また、本実施の形態の組立式ベッドでは、脚受部１２の開口縁部１２２ｄをカール状に形成したので、脚部１３の固定作業及び取り外し作業時に脚部１３のテーパ状部１３１ａが損傷することを防止できるとともに、作業者が負傷することを防止できる。
【００２６】
以上、実施の形態を挙げて本発明を説明したが、本発明は上記実施の形態に限定されるものではなく、種々変形が可能である。例えば、上記実施の形態では、床部１１を支持する支持フレーム１２を用いる例について説明したが、床部１１の強度が十分である場合等には、床部１１の裏面に直接、脚受部１２ｄを設けるようにしてもよい。
【００２７】
また、上記実施の形態では、脚部カバー１３ｂを用いて脚部１３の高さを調整可能とする例について説明したが、例えばベッド１を設置する場所が安定している場合などには、脚部１３の高さ調整機能の利用は必ずしも必要とされない。
【００２８】
また、上記実施の形態では、脚部カバー１３ｂを脚部カバー台１３ｃを介して脚部本体１３ａに取り付け、固定する例について説明したが、脚部カバー１３ｂを直接、脚部本体１３ａに螺合させて取り付け、固定するようにしてもよい。この場合には、脚部本体１３ａの底側の内壁面に雌ねじ部を形成すればよい。
【００２９】
また、上記実施の形態では、４本の脚部１３を備えた例について説明したが、脚部１３の本数は４本に限らず、４本より多い本数の脚部１３を備えるものであってもよい。
【符号の説明】
【００３０】
１        組立式ベッド
１１      床部
１２      支持フレーム
１２ａ    フレーム本体
１２ｂ    補強板
１２ｃ    脚受部支持板
１２ｄ    脚受部
１２１ｄ  脚受部本体
１２２ｄ  開口縁部
１２３ｄ  側壁部
１２４ｄ  底部
１２５ｄ  開口部
１２６ｄ  内壁面
１３      脚部
１３ａ    脚部本体
１３１ａ  テーパ状部
１３３ａ  先端部
１３ｂ    脚部カバー
１３２ｂ  雄ねじ部
１３ｃ    脚部カバー台（脚部カバー取付部）
１３１ｃ  カバー台本体
１３２ｃ  フランジ部
１３３ｃ  突設部
１３４ｃ  接続部
１３５ｃ  円筒状部
１３６ｃ  雌ねじ部
【図１】
0005755014.tif 000002
【図２】
0005755014.tif 000003
【図３】
0005755014.tif 000004
【図４】
0005755014.tif 000005
【図５】
0005755014.tif 000006
【図６】
0005755014.tif 000007
【図７】
0005755014.tif 000008
【図８】
0005755014.tif 000009
【図９】
0005755014.tif 000010